(57)【要約】【解決手段】本発明は、少なくとも１つの電気通信ネットワーク（１０）と接続及び送受信する手段（５１）と、少なくとも１つの通信プロトコルによってネットワーク上の少なくとも１つのサービスを実行する手段と、グラフィック・ユーザ・インターフェース（５２）とを有する端末装置（５０）に関する。本発明は、端末装置が、サービスが実行されている状況において、端末装置によってネットワーク上で交換されたデータ・フレームを、傍受及び保存する手段（５３）と、実行された種々のサービス及びそれらに関連する瞬間速度を特定する手段を含む手段であって、端末装置の前記ネットワークとの接続の特性を表すパラメータをそこから導き出すように、保存されたフレームを分析する手段（５３）と、グラフィック・ユーザ・インターフェースによって、接続の特性を表すパラメータをリアルタイムに表示する手段とを有することを特徴とする。【選択図】図２
2009503972.tif 000002
【特許請求の範囲】
【請求項１】
少なくとも１つの電気通信ネットワーク（１０）と接続及び送受信する手段（５１）と、少なくとも１つの通信プロトコルにしたがって前記ネットワーク上の少なくとも１つのサービスを実行する手段と、グラフィック・ユーザ・インターフェース（５２）とを有する端末装置（５０）であって、
・  実行されているサービスにおいて、前記端末装置によって前記ネットワーク上で交換されたデータ・フレームを、傍受及び保存する手段（５３）と、
・  実行された種々のサービス及びそれらに関する瞬間速度を特定する手段を含み、前記端末装置の前記ネットワークとの接続の特性を表すパラメータを導き出すように、保存された前記フレームを分析する手段（５３）と、
・  前記グラフィック・ユーザ・インターフェースによって、前記接続の特性を表す前記パラメータをリアルタイムに表示する手段と
を有することを特徴とする端末装置。
【請求項２】
保存されたデータ・フレームを分析する前記手段は、前記フレームのプロトコルの種類である、リアルタイムか非リアルタイムかに応じて、前記フレームを分配する手段を含むことを特徴とする請求項１に記載の端末装置。
【請求項３】
保存されたデータ・フレームを分析する前記手段は、リアルタイム・サービスに関するフレームの数と非リアルタイム・サービスに関するフレームの数とを計数する手段を含むことを特徴とする請求項２に記載の端末装置。
【請求項４】
前記表示する手段は、特定されたサービス毎に、特性を表すパラメータを表示する手段を含むことを特徴とする請求項１乃至３のいずれか１項に記載の端末装置。
【請求項５】
データ・フレームを傍受及び分析する前記手段は、前記端末装置の、前記電気通信ネットワークと接続及び送受信する手段と協働することが意図されたプロトコル型のＮＤＩＳソフトウェア・ドライバを含むことを特徴とする請求項１乃至４のいずれか１項に記載の端末装置。
【請求項６】
電気通信ネットワーク（１０）との間の端末装置の接続の特性を表す方法であって、
前記端末装置は、少なくとも１つの通信プロトコルにしたがって前記ネットワーク上の少なくとも１つのサービスを実行する手段を含み、
前記方法は、
・  実行されているサービスにおいて、前記端末装置によって前記ネットワーク上で交換されたデータ・フレームを傍受するステップ（ｓ１）と、
・  前記傍受されたフレームを保存するステップ（ｓ１）と、
・  実行された種々のサービス及びそれらに関する瞬間速度の特定を含み、前記接続の特性を表すパラメータを導き出すように、前記保存されたフレームを分析するステップ（ｓ２，ｓ３）と、
・  グラフィック・ユーザ・インターフェースによって、前記接続の特性を表す前記パラメータをリアルタイムに表示するステップ（ｓ４）と
を有することを特徴とする方法。
【請求項７】
前記分析するステップは、フレームのプロトコルの種類である、リアルタイムか非リアルタイムかに応じて保存された、傍受されたフレームの分配（ｓ２）、及び、リアルタイム・サービスに関するフレームの数と非リアルタイム・サービスに関するフレームの数との計数（ｓ３）を含むことを特徴とする請求項６に記載の方法。
【請求項８】
請求項６又は７に記載の前記方法にしたがう方法の前記ステップを実行するプログラム・コード指示を有するコンピュータ・プログラムであって、
前記コンピュータ・プログラムが端末装置上で動作されるときに、前記プログラム・コード指示は前記端末装置（５０）によって実行されることが意図されている
ことを特徴とするコンピュータ・プログラム。
【請求項９】
前記コンピュータ・プログラムが、前記端末装置に搭載されたネットワーク・カードと協働することが意図されたプロトコル型のＮＤＩＳソフトウェア・ドライバの形で実行されることを特徴とする請求項８に記載のコンピュータ・プログラム。
【請求項１０】
請求項８又は９に記載の前記プログラムが記録された、端末装置によって読取可能な記録媒体。
【発明の詳細な説明】
【技術分野】
【０００１】
本発明は、電気通信（テレコミュニケーション）の分野に関する。より具体的に言えば、本発明は、例えば、より一般的にＷｉｆｉ（ワイファイ：「Ｗｉｒｅｌｅｓｓ  Ｆｉｄｅｌｉｔｙ」の代わり）と呼ばれる電気通信規格ＩＥＥＥ８０２．１１及びその続き、又は、Ｗｉｍａｘ（ワイマックス）として知られる無線伝送規格ＩＥＥＥ８０２．１６に基づく規格を用いた無線技術による、電気通信ネットワーク（電気通信網）に接続された端末装置のトラフィックを傍受及び分析する装置に関する。
【背景技術】
【０００２】
図１に関連するが、本発明は、アンテナに接続されたＷｉｆｉルータを含むＷｉｆｉ端末装置３０を搭載している、加入者のｘＤＳＬモデム２０（代表的なものとしては、ＡＤＳＬ（「非対称デジタル加入者線」の代わり）モデム）を通して行なわれる、複数のユーザ間のＩＰネットワーク１０に対する共用アクセスに基づく、特に、Ｗｉｆｉにおける、新移動無線ネットワークの、次に来る展開の中に位置している。実際には、十分な数の加入者が、Ｗｉｆｉ端末装置及びＡＤＳＬモデムを搭載しているそのようなモデムを身に付けているときに、各モデムに関連する帯域幅のある部分をモデムの主人（ホスト）に割り当て、帯域幅の他の部分を多数の潜在的ユーザに割り当てることによって、開発途上にある移動Ｗｉｆｉ（モバイル・ワイファイ）ネットワークを想像可能になるであろう。ＰＤＡ型（パーソナル・デジタル・アシスタント）移動端末装置５０で端末装置にＷｉｆｉ接続部４０によって接続された、又は、Ｗｉｆｉ接続モジュールを装備したスマート移動電話機によって接続された各ユーザは、そのとき、上記無線端末装置に接続されているＩＰネットワークにアクセスするであろうし、同じタイプの他の通信プロトコルによって、インターネット・ナビゲーション（Ｉｎｔｅｒｎｅｔ  Ｎａｖｉｇａｔｉｏｎ）、ボイス・オーバー・インターネット・プロトコル（Ｖｏｉｃｅ  ｏｖｅｒ  ＩＰ）、リアルタイム・ストリーミング（Ｒｅａｌ−ｔｉｍｅ  Ｓｔｒｅａｍｉｎｇ）、及びその他のサービスのようなネットワーク上の種々のサービスを実行することができる。
【０００３】
そのような状況において、ユーザは、そのとき、ネットワーク上のサービスを依頼する前に、彼／彼女が、希望するサービスを開始できるために割り当てられた十分な帯域幅を持っているか否かを知る必要があるであろう。したがって、理想的には、彼／彼女は、特に、いつでも、進行中の種々のサービス、それらに関する無線接続の速度、及び彼／彼女に割り当てられた最大速度を特定できるようにするために、ネットワークに対する彼／彼女の接続の特性を動的に表すことを可能にする情報を得ることができるべきである。
【０００４】
したがって、クライアントに、彼／彼女に割り当てられた帯域幅よって、彼／彼女が実行することを希望する彼／彼女の無線接続及び種々のサービスをより良く管理できるようにするために、ユーザが確立したネットワーク接続の特性に関するそのような情報へのユーザ・アクセスは、これらのＷｉｆｉネットワークにおいて非常に重要である。
【発明の開示】
【発明が解決しようとする課題】
【０００５】
従来技術は、ＰＤＡ型移動端末装置用のソフトウェア・モジュールを含み、Ｗｉｆｉ端末装置の検出を実行可能にしている。そのような装置は、ウェブ（Ｗｅｂ）上で、アドレス「ｈｔｔｐ：／／ｐｏｃｋｅｔｗａｒｒｉｏｒ．ｓｏｕｒｃｅｆｏｒｇｅ．ｎｅｔ」に説明されている。しかしながら、実行された種々のプロトコルを特定するために、クライアントの接続の特性を正確に表すことができ、及び、例えば、無線トラフィックを動的に傍受及び分析することができる、ＰＤＡ用の装置は無い。
【非特許文献１】インターネット〈ｈｔｔｐ：／／ｐｏｃｋｅｔｗａｒｒｉｏｒ．ｓｏｕｒｃｅｆｏｒｇｅ．ｎｅｔ〉
【０００６】
しかし、ネットワーク接続の特性を表すことを可能にするインターフェースに関するトラフィックを傍受及び分析するそのような装置は、ＰＣの分野において知られている。そのようなソフトウェア・モジュールは、実際に、ＰＣのすべてのオペレーティング・システム内に存在する。確立されたサーバ／クライアント接続のための、ウィンドウズ（Ｗｉｎｄｏｗｓ：登録商標）ＸＰオペレーティング・システムにより伝送される情報は、以下の通りである。例えば、その確立された接続の期間、接続の最大可能速度、受信及び送信されたデータ・パケットの数、ＩＰアドレス、サブネット・マスク（Ｓｕｂｎｅｔ  Ｍａｓｋ）、デフォルト・ゲートウェイ（Ｄｅｆａｕｌｔ  Ｇａｔｅｗａｙ）、その他である。
【０００７】
一般に、オペレーティング・システムによって利用可能にされるネットワーク接続の特性を表す情報は、本質的には、交換された量（ボリューム）及び接続の期間に関する。しかしながら、なによりも、オンボード（ｏｎ−ｂｏａｒｄ）・オペレーティング・システムは著しく軽量化されているという事実によって、これらのユーティリティは、ＰＤＡ型の移動端末装置上には無い。
【０００８】
また、ある人が、例えば、実行される種々のプロトコルの特定を提供することができる、接続の特性に関するより正確な情報を取得したいときに、それは、クライアントの資源（ソリューション）を複雑にし、膨大な量の計算及びメモリ資源を消費し、そのため、ＰＤＡ型移動端末装置又はスマート電話によって提供される環境のような、より軽量な環境において適しているとは言えない。これらの資源（ソリューション）は、実際には、負荷試験又はトラフィック解析を行なうことを希望するネットワーク管理者又はエンジニアのために開発されたものであり、オンボードの世界に置き換えられることはできない。例えば、上述したタイプのプロトコル・アナライザ（解析装置）である、イーサリアル（Ｅｔｈｅｒｅａｌ）（ｈｔｔｐ：／／ｗｗｗ．ｅｔｈｅｒｅａｌ．ｃｏｍ）のようなツールを言及することができる。
【非特許文献２】インターネット〈ｈｔｔｐ：／／ｗｗｗ．ｅｔｈｅｒｅａｌ．ｃｏｍ〉
【０００９】
本発明は、ユーザの機器資源（リソース）に最低限の影響しか与えずに、特に、クライアントが、彼／彼女の無線接続の状態をリアルタイムに目視すること、及び、特に、実行される種々のサービスを特定することを可能にする、オンボード端末装置に適したトラフィックの特性を表す装置を提案することによって、これらの欠点を克服することを目的としている。
【課題を解決するための手段】
【００１０】
この目的のために、本発明は、少なくとも１つの電気通信ネットワークと接続及び送受信する手段と、少なくとも１つの通信プロトコルにしたがって前記ネットワーク上の少なくとも１つのサービスを実行する手段と、グラフィック・ユーザ・インターフェースとを有する端末装置であって、
・  実行されているサービスにおいて、前記端末装置によって前記ネットワーク上で交換されたデータ・フレームを、傍受及び保存する手段と、
・  実行された種々のサービス及びそれらに関する瞬間速度を特定する手段を含み、前記端末装置の前記ネットワークとの接続の特性を表すパラメータを導き出すように、保存された前記フレームを分析する手段と、
・  前記グラフィック・ユーザ・インターフェースによって、前記接続の特性を表す前記パラメータをリアルタイムに表示する手段と
を有することを特徴とする端末装置に関する。
【００１１】
傍受されたフレームがリアルタイム・アプリケーションからのものか又は非リアルタイム・アプリケーションからのものかを判断するために選択が実行されることが、より好都合である。こうするために、保存されたデータ・フレームを分析する前記手段は、前記フレームのプロトコルの種類である、リアルタイムか非リアルタイムかに応じて、前記フレームを分配する手段を含む。
【００１２】
保存されたデータ・フレームを分析する前記手段は、リアルタイム・サービスに関するフレームの数と非リアルタイム・サービスに関するフレームの数とを計数する手段を含むことが、より好都合である。したがって、リアルタイム又は非リアルタイムとして特定された各サービスについての速度に関する特性を表すパラメータは、容易に決定され得る。
【００１３】
前記表示する手段は、特定されたサービス毎に、特性を表すパラメータを表示する手段を含むことが好ましい。実行された各サービスのそのような表示は、何時でも彼／彼女の接続の状態の正確な特性をユーザに提供する。
【００１４】
ある実施の形態によれば、データ・フレームを傍受及び分析する前記手段は、前記端末装置の、前記電気通信ネットワークと接続及び送受信する手段と、協働することが意図されたプロトコル型のＮＤＩＳソフトウェア・ドライバを含む。
【００１５】
本発明は、また、電気通信ネットワークとの間の端末装置の接続の特性を表す方法であって、前記端末装置は、少なくとも１つの通信プロトコルにしたがって前記ネットワーク上の少なくとも１つのサービスを実行する手段を含み、
前記方法は、
・  実行されているサービスにおいて、前記端末装置によって前記ネットワーク上で交換されたデータ・フレームを傍受するステップと、
・  前記傍受されたフレームを保存するステップと、
・  実行された種々のサービス及びそれらに関する瞬間速度の特定を含み、前記接続の特性を表すパラメータを導き出すように、前記保存されたフレームを分析するステップと、
・  グラフィック・ユーザ・インターフェースによって、前記接続の特性を表す前記パラメータをリアルタイムに表示するステップと
を有することを特徴とする方法に関する。
【００１６】
前記分析するステップは、フレームのプロトコルの種類である、リアルタイムか非リアルタイムかに応じて保存された、傍受されたフレームの分配、及び、リアルタイム・サービスに関するフレームの数と非リアルタイム・サービスに関するフレームの数との計数を含むことが、より好都合である。
【００１７】
本発明は、本発明による前記方法の前記ステップを実行するプログラム・コード・指示（インストラクション）を有し、前記コンピュータ・プログラムが端末装置上で動作されるときに、前記プログラム・コード指示は前記端末装置によって実行されることが意図されているコンピュータ・プログラムに関する。
【００１８】
ある実施の形態によれば、本発明による前記コンピュータ・プログラムは、前記端末装置に搭載されたネットワーク・カードと協働することが意図されたプロトコル型のＮＤＩＳドライバの形で実行される。
【００１９】
最後に、本発明は、本発明による前記プログラムが記録された、端末装置によって読取可能な記録媒体に関する。
【発明を実施するための最良の形態】
【００２０】
本発明の他の特徴及び利点は、添付図面を参照しながら、実例として及び非限定的目的のために提供された以下の説明を読むことによって、より明りょうなるであろう。添付図面において、
・  図１は、本発明の適用の状況を図示しており、既に説明されており、
・  図２は、本発明を実行する手段が装備された移動端末装置を描いており、
・  図３は、本発明を実行するアルゴリズムの主要ステップを示すフローチャートであり、
・  図４は、本発明により得られたグラフィック・ユーザ・インターフェースの一例を示している。
【００２１】
したがって、本発明は、図２に示されるように、無線接続モジュール５１によって電気通信ネットワークに接続された、移動端末装置５０を提供することを目的とする。一連の情報は、ユーザに対して、端末装置とネットワークとの間に確立された接続の特性を非常にわかりやすく表すことを可能にし、及び、特に、実行される種々の通信サービス及びそれらに関連する無線接続の速度の特性を表すことを可能にしている。無線通信モジュール５１は、電気通信ネットワークに対する移動端末装置の接続及びデータ・フレームの送受信を提供することを可能にしており、例えば、Ｗｉｆｉ型ネットワーク・カード及びそれに関連するソフトウェア・ドライバによって構成される。
【００２２】
これを行なうために、移動端末装置は、特定の処理手段５３を有し、移動端末装置のスクリーン５２上に表示されるためのグラフィック・ユーザ・インターフェースを完備し、以下により一層詳細に説明される非常に特有の機能を有し、好ましくは、ユーザが、彼／彼女の無線接続、及び、彼／彼女に割り当てられた帯域幅を、より一層良好に管理することを可能にする。
【００２３】
これを行なうために、先ず、処理手段５３は、携帯端末が要求したサービスが実行されている状況において、端末装置によってネットワーク上で交換されたデータ・フレームを傍受及び保存する手段を提供（インプリメント）する。また、前記処理手段は、事前に保存されたフレームを分析する手段を含み、この手段は、ネットワークに対する端末装置の接続の特性を表すパラメータを導出することを可能にしている。これらのパラメータは、主に、実行された種々の通信プロトコル及びそれらに関連する瞬間速度に関する。最後に、前記処理手段は、グラフィック・ユーザ・インターフェースによってリアルタイムに前記接続の特性を表すこれらのパラメータを表示するための手段を提供（インプリメント）する。
【００２４】
したがって、前記処理手段は、先ず、アップリンク及びダウンリンクで交換されたトラフィックを傍受し、その後、ユーザによって必要とされるパラメータ（各アプリケーションの瞬間速度、全体（オーバーオール）速度、その他）を導出することを意図した分析を行なうために、このデータを保存することを可能にしている。
【００２５】
ある実施形態によれば、前記処理手段は、ドットネット（ｄｏｔＮｅｔ）・プラットフォーム（マイクロソフト社によって開発された言語）に基づいて開発されているソフトウェア・モジュールによって構成されている。このため、前記処理手段は、あらゆる種類の端末装置（ＰＤＡ、スマート電話、ＰＣ）と互換性を持つ、ツール及びＡＰＩ（アプリケーション・プログラム・インターフェース）を実行するという利点を持つ。したがって、ドットネットの選択には、ウィンドウズ（Ｗｉｎｄｏｗｓ：登録商標）環境における実装が必要になるが、トラフィックを傍受及び分析する手段に関連するグラフィック・ユーザ・インターフェースは、他のオペレーティング・システム下で動作する端末装置用に完全に開発されることができる。
【００２６】
採用された手法（アプローチ）は、ＩＰパケット・レベルにおける直接的及び全体的アクセスをするように、ＴＣＰ／ＩＰスタックと呼ばれるネットワーク通信プロトコル・スタックを避けて通るものである。あいにく、携帯電話、ポケット・コンピュータ、その他のような、オンボード（直接搭載型）端末装置用の、より軽いウィンドウズ・シーイー（Ｗｉｎｄｏｗｓ  ＣＥ）・オペレーティング・システムには、このような可能性はない。このような可能性の無いことに対処するため、ＮＤＩＳ規格（ネットワーク・ドライバ・インターフェース仕様）を用いて、ＯＳＩ層に下がる必要がある。
【００２７】
実際に、あるアプリケーションがネットワーク・インターフェースを通過することによって他のアプリケーションと通信したいときに、アプリケーションによって送信されるメッセージは、ＴＤＩ（「トランスポート・データ・インターフェース」の代わり）及びＮＤＩＳインターフェースを通過しなければならない。
【００２８】
ＯＳＩモデルは、７層のスタックの種々のプロトコルに分解され、一連のインターネット・プロトコルを記述するために使用されることができる。プロトコル・スタックにおいて、各層は、データの伝送に関する幾つかの問題を解決し、各層は、データの伝送に関するいくつかの問題を解決し、上層において明確に規定されたサービスを提供する。データが物理接続上を伝送され得るようにデータをフォーマットする下層のサービスを用いて、上層は、ユーザにより近く、より抽象的（概念的）なデータを管理する。
【００２９】
Ｗｉｆｉ規格は、無線接続用のＯＳＩモデルの下層、すなわち、２つのサブレイヤ（論理接続の確認と、媒体又はＭＡＣ層へのアクセスの制御とによって構成される。）によって構成される物理層とデータ・コネクション層を定義することが意図されている。実際に、データ・コネクション層は、Ｗｉｆｉネットワーク・カードによるインターフェースと、伝送接続の共用を規定している。前記ネットワーク・カードは、物理層とネットワークとの間のインターフェースを提供し、その機能は、ネットワーク上のデータを準備し、送信し、及び確認（チェック）することである。
【００３０】
したがって、データ・コネクション層のサブレイヤ用のデバイス・ドライバは、ネットワーク・カードによって物理層において受信されたデータを移動させ、それをＯＳＩモデルの他の層に伝送する。したがって、ＭＡＣドライバ又はネットワーク・カード・ドライバは、ＭＡＣサブレイヤに配置されたデバイス・ドライバであり、ネットワーク・カードへの下レベルのアクセスを提供する。ＮＤＩＳインターフェースは、ネットワーク・カードの種類に無関係にすることができる１セットの汎用関数を提供する。それは、実際には、ＭＡＣ層とネットワーク通信プロトコルとの間の通信のインターフェースを規定する規格である。したがって、ＮＤＩＳは、ネットワーク・カードと通信するために、ネットワーク通信プロトコルによって使用されたソフトウェア・インターフェースを規定しており、ＮＤＩＳプロトコル・ドライバとネットワーク機器ドライバ（イーサネット（Ｅｉｔｈｅｒｎｅｔ：登録商標）・ドライバ、Ｗｉｆｉ、その他）との間に配置されている。そのように設計されたプログラミング・インターフェースは、複数のネットワーク通信プロトコルを用いる単一のハードウェア・コンフィグレーション（ハードウェア構成）を使用する権限を与える。
【００３１】
ネットワーク機器によって交換されたＩＰパケットについての表示を得るために、及び、それによって、サービスが実行されている状況において端末装置によってネットワーク上で交換されたデータ・フレームを傍受する機能を実行するために、この機能専用で、ネットワーク・カード・ドライバ上に配置されたプロトコル型ＮＤＩＳソフトウェア・ドライバを有することが必要である。プロトコル型ＮＤＩＳソフトウェア・ドライバの動作原理は、プロトコル・ドライバとネットワーク・カード・ドライバとの間の初期通信チャンネルを確立するために使用される、「バインディング（ｂｉｎｄｉｎｇ）」と呼ばれるプロセスを介して１又は複数のネットワーク・カード上に記録される。したがって、プロトコル型ＮＤＩＳソフトウェア・ドライバは、ネットワーク・カード・ドライバと通信プロトコルのドライバとを再接続ために使用される。
【００３２】
プロトコル型ＮＤＩＳソフトウェア・ドライバから来る情報の処理に関しては、ある方法は、最も少ない可能性があるフレームを失うために、それらのプロトコルのタイプ、リアルタイムか非リアルタイムか、それらの計数、グラフィック・ユーザ・インターフェースを介するそれらの表示、最終的にはメモリ・ダンプ傍受されたデータ・フレームを保存することを構成としている。
【００３３】
この方法は、上で説明されたシーケンスの結合を示す、図３のアルゴリズムに基づいている。したがって、まず、フレームは、ｓ１において、傍受され、端末装置のバッファ・ストレージに保存される。その後、ｓ２における第１の選択が、傍受されたフレームが、リアルタイム・アプリケーションからのものか非リアルタイム・アプリケーションからのものかを判定するために、実行される。この選択は、アプリケーションによって、実行が多少難しくなる。加えて、アプリケーションのタイプを分析するためのオプション・モジュールを備えることもできる、これによって、アプリケーションのリアルタイム特性又は非リアルタイム特性に関する不確かさを無くすることが可能となる。ＯＳＩ層における周期的に発生するボトムアップ式の分析ｓ５（ボトム層からアプリケーション層に向かう）は、モジュールが、傍受されたが未だ計数されていないフレームのリアルタイム特性又は非リアルタイム特性を特定できるようにする。この分析は、情報が取得されたときに、中断され、フレームは、アルゴリズムの対応する枝に進められる。アルゴリズムの２つの枝は、同じ構造、すなわち、リアルタイム・アプリケーション又は非リアルタイム・アプリケーションによって傍受されたフレームの選択、種々のアプリケーションに関する速度の特定を可能にする各アプリケーションのためのフレームのｓ３における計数、最後に、実行される種々のサービス及びそれらに関する瞬間速度の特定に関するネットワーク接続の特性を表すために取得された種々のパラメータの、グラフィック・ユーザ・インターフェースによる表示を有する。
【００３４】
したがって、本発明によるソフトウェア・モジュールは、グラフィック・ユーザ・インターフェース要素を実現し、これによって、ユーザが、ネットワークへの移動端末装置の接続の特性を表すパラメータを、リアルタイムに、見ることを可能にしている。そのようなインターフェースの例は、図４に示されている。この例によれば、接続の特性を表すパラメータは、棒グラフｂ１からｂ４までの形式で、グラフィック・ユーザ・インターフェースＧＵＩによって表示される。棒グラフは、実行された種々のサービスに関する速度の代表値のそれぞれ、すなわち、この例によれば、以下の個々の非リアルタイム・サービス及びリアルタイム・サービス（すなわち、インターネット及びエフティピー（ＦＴＰ）、並びに、ボイス・オーバー・インターネット・プロトコル（Ｖｏｉｃｅ  ｏｖｅｒ  ＩＰ）及び映像（ビデオ））に関する現在の速度を提供する。この情報は、割り当てられた最大速度を基準にした、現在の使用速度を表示することも可能にする。したがって、グラフィック・ユーザ・インターフェースは、残りの帯域幅及び彼／ユーザが同意した申し込みによって、使用されたサービスの種類を特定し、彼／彼女が新たなサービスを起動できるかどうかを決定することを可能する。
【００３５】
関連するグラフィック・ユーザ・インターフェースによって端末装置上でリアルタイムに、トラフィックの傍受、解析、及びトラフィックの表示を可能にする本発明によるソフトウェア・モジュールは、特に、シンビアン（Ｓｙｍｂｉａｎ）、ポケット・ピーシー（Ｐｏｃｋｅｔ  ＰＣ）、又はパーム・タイプ（Ｐａｌｍ  ｔｙｐｅ）等の軽量オペレーティング・システムによって動作する、互換性のあるＷｉｆｉ／ＧＲＰＳ又はＷｉｆｉ／ＵＭＴＳ移動端末装置に特に適している。
【図面の簡単な説明】
【００３６】
【図１】本発明の適用の状況を示す。
【図２】本発明を実行する手段が装備された移動端末装置を示す。
【図３】本発明を実行するアルゴリズムの主要ステップを示すフローチャートである。
【図４】本発明により得られたグラフィック・ユーザ・インターフェースの一例を示す。
【図１】
2009503972.tif 000003
【図２】
2009503972.tif 000004
【図３】
2009503972.tif 000005
【図４】
2009503972.tif 000006
【国際調査報告】
2009503972.tif 000007
2009503972.tif 000008